(57)【要約】【課題】  より好適な番組情報表示を可能とする技術を提供する。【解決手段】  番組情報を受信し、受信した番組情報を表示するための表示制御を行い、前記表示制御では、前記現在放送中の番組の残り放送時間が予め定めた所定の値以上の場合には現在放送中の番組の番組情報を表示する制御を行い、前記現在放送中の番組の残り放送時間が前記所定の値未満の場合には、前記現在放送中の番組の終了時刻以降に放送予定の番組のうち、放送時間長が予め定めた所定の時間長以上となる番組であって現在時刻から最も近傍となる番組の番組情報を表示する制御を行うように構成する。【選択図】  図３
2013106282.tif 000002
【特許請求の範囲】
【請求項１】
放送中または将来放送される番組の番組情報を表示する表示装置であって、
放送波に含まれる番組情報を受信する受信部と、
受信した番組情報を表示する表示部と、
制御部とを備え、
前記制御部は、現在放送中の番組の残り放送時間と前記現在放送中の番組の終了時刻以降に放送予定の番組の放送時間長とに応じて前記表示部に番組情報を表示する番組を変更する制御を行うことを特徴とする表示装置。
【請求項２】
請求項１に記載の表示装置であって、
前記制御部は、前記現在放送中の番組の残り放送時間が予め定めた所定の値以上の場合には現在放送中の番組の番組情報を前記表示部に表示する制御を行い、前記現在放送中の番組の残り放送時間が前記所定の値未満の場合には、前記現在放送中の番組の終了時刻以降に放送予定の番組のうち、放送時間長が予め定めた所定の時間長以上となる番組であって現在時刻から最も近傍となる番組の番組情報を前記表示部に表示する制御を行うことを特徴とすることを特徴とする表示装置。
【請求項３】
請求項２に記載の表示装置であって、
前記制御部は、前記番組情報を前記表示部に表示する制御を行う際には、表示する前記番組情報を前記現在放送中の番組の映像に重畳して表示するように制御することを特徴とする表示装置。
【請求項４】
放送中または将来放送される番組の番組情報を表示する表示装置であって、
放送波に含まれる番組情報を受信する受信部と、
受信した番組情報を表示する表示部と、
制御部とを備え、
前記制御部は、現在放送中の番組の残り放送時間と前記現在放送中の番組の終了時刻以降に放送予定の番組のジャンル情報とに応じて前記表示部に番組情報を表示する番組を変更する制御を行うことを特徴とする表示装置。
【請求項５】
請求項４に記載の表示装置であって、
前記制御部は、前記現在放映中の番組の残り放映時間が予め定めた所定の値以上の場合には現在放映中の番組の番組情報を前記表示部に表示する制御を行い、前記現在放映中の番組の残り放映時間が前記所定の値未満の場合には、前記現在放映中の番組の終了後に放映予定の番組の中から、予め定めた所定の番組ジャンルに属する番組を除いた番組のうちの、現在時刻から最も近傍となる番組の番組情報を前記表示部に表示する制御を行うことを特徴とする表示装置。
【請求項６】
請求項５に記載の表示装置であって、
前記制御部は、前記番組情報を前記表示部に表示する制御を行う際には、表示する前記番組情報を前記現在放送中の番組の映像に重畳して表示するように制御することを特徴とする表示装置。
【請求項７】
放送中または将来放送される番組の番組情報を出力する出力装置であって、
放送波に含まれる番組情報を受信する受信部と、
受信した番組情報を出力する出力部と、
制御部とを備え、
前記制御部は、現在放送中の番組の残り放送時間と前記現在放送中の番組の終了時刻以降に放送予定の番組の放送時間長とに応じて前記出力部から番組情報を出力する番組を変更する制御を行うことを特徴とする出力装置。
【請求項８】
請求項７に記載の出力装置であって、
前記制御部は、前記現在放送中の番組の残り放送時間が予め定めた所定の値以上の場合には現在放送中の番組の番組情報を前記出力部から出力する制御を行い、前記現在放送中の番組の残り放送時間が前記所定の値未満の場合には、前記現在放送中の番組の終了時刻以降に放送予定の番組のうち、放送時間長が予め定めた所定の時間長以上となる番組であって現在時刻から最も近傍となる番組の番組情報を前記出力部から出力する制御を行うことを特徴とすることを特徴とする出力装置。
【請求項９】
放送中または将来放送される番組の番組情報を出力する出力装置であって、
放送波に含まれる番組情報を受信する受信部と、
受信した番組情報を出力する出力部と、
制御部とを備え、
前記制御部は、現在放送中の番組の残り放送時間と前記現在放送中の番組の終了時刻以降に放送予定の番組のジャンル情報とに応じて前記出力部から番組情報を出力する番組を変更する制御を行うことを特徴とする出力装置。
【請求項１０】
請求項９に記載の出力装置であって、
前記制御部は、前記現在放映中の番組の残り放映時間が予め定めた所定の値以上の場合には現在放映中の番組の番組情報を前記出力部から出力する制御を行い、前記現在放映中の番組の残り放映時間が前記所定の値未満の場合には、前記現在放映中の番組の終了後に放映予定の番組の中から、予め定めた所定の番組ジャンルに属する番組を除いた番組のうちの、現在時刻から最も近傍となる番組の番組情報を前記出力部から出力する制御を行うことを特徴とする出力装置。
【請求項１１】
放送番組の番組情報を表示する表示端末であって、
他の装置と情報を送受信する通信部と、
表示部とを備え、
前記請求項７乃至請求項１０のいずれか一項に記載の出力装置から出力された番組情報を前記表示部に表示することを特徴とする表示端末。
【請求項１２】
放送中または将来放送される番組の番組情報を出力する出力装置と、前記出力装置から出力された番組情報を受信する端末を含むシステムであって、
前記出力装置は、
放送波に含まれる番組情報を受信する受信部と、
受信した番組情報を出力する出力部と、
制御部とを備え、
前記制御部は、現在放送中の番組の残り放送時間と前記現在放送中の番組の終了時刻以降に放送予定の番組の放送時間長とに応じて前記出力部から番組情報を出力する番組を変更する制御を行い、
前記端末は、
前記出力装置から出力された番組情報を受信する通信部と、
前記通信部が受信した番組情報を表示する表示部とを備えることを特徴とするシステム。
【請求項１３】
放送中または将来放送される番組の番組情報を出力する出力装置と、前記出力装置から出力された番組情報を受信する端末を含むシステムであって、
前記出力装置は、
放送波に含まれる番組情報を受信する受信部と、
受信した番組情報を出力する出力部と、
制御部とを備え、
前記制御部は、現在放送中の番組の残り放送時間と前記現在放送中の番組の終了時刻以降に放送予定の番組のジャンル情報とに応じて前記出力部から番組情報を出力する番組を変更する制御を行い、
前記端末は、
前記出力装置から出力された番組情報を受信する通信部と、
前記通信部が受信した番組情報を表示する表示部とを備えることを特徴とするシステム。
【請求項１４】
放送番組の番組情報の表示制御方法であって、
番組情報を受信する受信ステップと、
受信した番組情報を表示するための表示制御を行う表示制御ステップとを備え、
前記表示制御ステップでは、
前記現在放送中の番組の残り放送時間が予め定めた所定の値以上の場合には現在放送中の番組の番組情報を表示する制御を行い、
前記現在放送中の番組の残り放送時間が前記所定の値未満の場合には、前記現在放送中の番組の終了時刻以降に放送予定の番組のうち、放送時間長が予め定めた所定の時間長以上となる番組であって現在時刻から最も近傍となる番組の番組情報を表示する制御を行うことを特徴とすることを特徴とする表示制御方法。
【請求項１５】
放送番組の番組情報の表示制御方法であって、
番組情報を受信する受信ステップと、
受信した番組情報を表示するための表示制御を行う表示制御ステップとを備え、
前記表示制御ステップでは、
前記現在放映中の番組の残り放映時間が予め定めた所定の値以上の場合には現在放映中の番組の番組情報を表示する制御を行い、
前記現在放映中の番組の残り放映時間が前記所定の値未満の場合には、前記現在放映中の番組の終了後に放映予定の番組の中から、予め定めた所定の番組ジャンルに属する番組を除いた番組のうちの、現在時刻から最も近傍となる番組の番組情報を表示する制御を行うことを特徴とすることを特徴とする表示制御方法。
【請求項１６】
表示装置に、
番組情報を受信する受信ステップと、
受信した番組情報を表示するための表示制御を行う表示制御ステップとを実行させるためのプログラムであって、
前記表示制御ステップでは、
前記現在放送中の番組の残り放送時間が予め定めた所定の値以上の場合には現在放送中の番組の番組情報を表示する制御を行い、
前記現在放送中の番組の残り放送時間が前記所定の値未満の場合には、前記現在放送中の番組の終了時刻以降に放送予定の番組のうち、放送時間長が予め定めた所定の時間長以上となる番組であって現在時刻から最も近傍となる番組の番組情報を表示する制御を行うことを特徴とすることを特徴とするプログラム。
【請求項１７】
表示装置に、
番組情報を受信する受信ステップと、
受信した番組情報を表示するための表示制御を行う表示制御ステップとを実行させるためのプログラムであって、
前記表示制御ステップでは、
前記現在放映中の番組の残り放映時間が予め定めた所定の値以上の場合には現在放映中の番組の番組情報を表示する制御を行い、
前記現在放映中の番組の残り放映時間が前記所定の値未満の場合には、前記現在放映中の番組の終了後に放映予定の番組の中から、予め定めた所定の番組ジャンルに属する番組を除いた番組のうちの、現在時刻から最も近傍となる番組の番組情報を表示する制御を行うことを特徴とすることを特徴とするプログラム。
【発明の詳細な説明】
【技術分野】
【０００１】
本発明は、番組の番組情報の表示または送出技術に関する。
【背景技術】
【０００２】
デジタル放送の受信が可能なテレビジョン受信機やテレビチューナ、ビデオレコーダなどでは、電子番組表を表示する機能を備えたものが一般的である。
【０００３】
しかしながら、この電子番組表は画面に表示される際に画面いっぱいに表示されることが多く、電子番組表の表示中には放映中の番組の視聴に支障をきたす場合があった。この問題を解決する一手段として、下記特許文献１に記載の技術がある。特許文献１に記載の技術では、放映中の番組の番組情報を視聴中の番組の映像の一部に重畳して表示する技術を提示している。
【０００４】
また、使用者が番組情報の表示を要求した際に、放映中の番組の残り放映時間に応じて、現在放映中の番組の番組情報と現在放映中の番組の次の番組の番組情報とを選択して表示させる技術が、下記特許文献２に記載されている。
【先行技術文献】
【特許文献】
【０００５】
【特許文献１】特開２００６−５００４７公報
【特許文献２】特開２００９−１２４３５２公報
【発明の概要】
【発明が解決しようとする課題】
【０００６】
現在放映中の番組の次に放映予定の番組が、例えば天気予報のような短時間番組である場合、使用者にとって、このような短時間番組よりも、更にその後に放映が予定されているドラマ等の番組の番組情報の方が関心が高いことが多い。しかしながら、特許文献２に記載の技術では、あくまで現在の番組または次の番組の番組情報のみしか表示できないという課題があった。
【０００７】
本発明の目的は、前記課題を鑑みてなされたものであり、より好適な番組情報表示を可能とする技術を提供することである。
【課題を解決するための手段】
【０００８】
前記課題を解決するために、例えば、番組情報を受信し、受信した番組情報を表示するための表示制御を行い、前記表示制御では、前記現在放送中の番組の残り放送時間が予め定めた所定の値以上の場合には現在放送中の番組の番組情報を表示する制御を行い、前記現在放送中の番組の残り放送時間が前記所定の値未満の場合には、前記現在放送中の番組の終了時刻以降に放送予定の番組のうち、放送時間長が予め定めた所定の時間長以上となる番組であって現在時刻から最も近傍となる番組の番組情報を表示する制御を行うように構成すればよい。
【発明の効果】
【０００９】
より好適な番組情報表示または出力を可能とする技術を提供することが可能となる。
【図面の簡単な説明】
【００１０】
【図１】本発明の番組情報表示装置をデジタル放送受信表示装置に適用した場合の一実施例を説明するブロック図である。
【図２】本発明の番組情報選択処理の開始制御の一例を示すフローチャートである。
【図３】本発明の番組情報選択処理の動作の一例を示すフローチャートである。
【図４】本発明の番組情報表示装置による現在視聴中の番組の番組情報を表示する場合の表示例を示す図である。
【図５】本発明の番組情報表示装置による現在視聴中の番組の終了後に放映が予定されている番組の番組情報を表示する場合の表示例を示す図である。
【図６】本発明の番組情報表示装置による、各チャンネルの番組情報を一括して表示する場合の表示例を示す図である。
【図７】本発明の番組情報送出装置を適用したデジタル放送受信機能付き携帯端末の一実施例を説明するブロック図である。
【図８】本発明の番組情報送出装置をデジタル放送受信機能付き携帯端末に適用した場合の番組情報表示画面の一例を示す図である。
【図９】本発明の番組情報送出装置をデジタル放送受信用チューナに適用した場合の一実施例を説明するブロック図である。
【図１０】本発明の番組情報送出装置をデジタル放送受信表示装置に適用した場合の、図１及び図９とは異なる実施例を説明するブロック図である。
【図１１】本発明の番組情報送出装置及び通信回線網と、本発明の番組情報送出装置と通信可能な番組情報表示端末と、で構成されたシステムの一例を示す概念図である。
【発明を実施するための形態】
【００１１】
以下、本発明の実施形態の例を、図面を用いて説明する。
【実施例１】
【００１２】
図１は本発明の実施例１に係る番組情報表示装置をデジタル放送受信表示装置（１００）に適用した場合の一例であり、図中、１０１は制御部、１０２はアンテナ、１０３はチューナ、１０４は分離部、１０５は映像デコーダ、１０６は音声デコーダ、１０７は情報処理部、１０８は表示処理部、１０９は記憶部、１１０は表示デバイス、１１１はスピーカである。
【００１３】
デジタル放送の放送波はアンテナ１０２で受信された後、チューナ１０３に入力される。チューナ１０３はアンテナ１０２が受信した放送波から使用者が選局したチャンネルの信号を抽出し、ＴＳ（Ｔｒａｎｓｐｏｒｔ  Ｓｔｒｅａｍ）信号に復調する。ＴＳ信号はそれぞれパケット化された映像データと音声データと付随情報データとで構成されており、分離部１０４においてそれぞれが分離され、映像データが映像デコーダ１０５に、音声データが音声デコーダ１０６に、付随情報データが情報処理部１０７に出力される。
【００１４】
映像デコーダ１０５は分離部１０４から出力された映像データをデコードし、映像信号として表示処理部１０８に出力する。表示処理部１０８では入力した映像信号に対して、必要に応じてフォーマット変換、メニューやその他のＯＳＤ（Ｏｎ  Ｓｃｒｅｅｎ  Ｄｉｓｐｌａｙ）信号の重畳処理等を行い、表示デバイス１１０に出力して映像表示する。一方、音声デコーダ１０６は分離部１０４から出力された音声データをデコードし、音声信号としてスピーカ１１１に出力する。
【００１５】
情報処理部１０７は分離部１０４から出力された付随情報データを処理するものであり、特に各番組の番組名、ジャンル、放映開始／終了日時、等の番組情報を含むＳＩ（Ｓｅｒｖｉｃｅ  Ｉｎｆｏｒｍａｔｉｏｎ）情報を取得して記憶部１０９に記憶させる。
【００１６】
制御部１０１は、例えばマイクロコンピュータのようなものであり、本実施例のデジタル放送受信表示装置１００の各所を制御する。情報処理部１０７での付随情報データから番組情報（ＳＩ情報）を取得して記憶部１０９に記憶させる取得処理の制御、記憶部１０９に記憶された番組情報を参照して番組情報の選択処理を行う制御、等も、この制御部１０１が実施するものである。
【００１７】
次に、本発明の特徴である番組情報選択処理の動作を、図２及び図３を用いて説明する。図２は、本発明の番組情報選択処理の開始制御の一例を示すフローチャートである。図３は、本発明の番組情報選択処理の動作の一例を示すフローチャートである。
【００１８】
使用者がデジタル放送受信表示装置１００を視聴する場合、通常は、表示デバイス１１０及びスピーカ１１１には、使用者が選局したチャンネルで放映されている番組の映像と音声が出力されている。この状態で、制御部１０１は、使用者がリモコン操作または機器本体のスイッチ操作により番組情報の表示要求を行ったかの判定（Ｓ２０１）、及び現在視聴中の番組の番組情報を参照（Ｓ２０２）して現在時刻と比較し、現在視聴中の番組の残り放映時間が所定の値未満（本実施例では５分未満）となったかの判定（Ｓ２０３）を周期的に繰り返す。判定処理Ｓ２０１または判定処理Ｓ２０３において、使用者がリモコン操作または機器本体のスイッチ操作により番組情報の表示要求を行ったと判定された場合、または現在視聴中の番組の残り放映時間が所定の値未満（本実施例では５分未満）となったと判定された場合には、番組情報の選択処理（Ｓ２０４）を開始する。
【００１９】
番組情報の選択処理Ｓ２０４が開始されると、制御部１０１は、まず記憶部１０９に記憶された番組情報の中から現在視聴中の番組の番組情報を参照（Ｓ３０１）する。次に参照処理Ｓ３０１で参照した番組情報の中から現在視聴中の番組の放映終了日時を抽出して現在時刻と比較し、残り放映時間が所定の値以上（本実施例では５分以上）であるかの判定（Ｓ３０２）を行う。判定処理Ｓ３０２の結果、現在視聴中の番組の残り放映時間が所定の値以上（本実施例では５分以上）であると判定された場合には、制御部１０１は記憶部１０９に記憶されている番組情報の中から現在視聴中の番組の番組情報を選択（Ｓ３０３）して、表示処理部１０８に出力する。
【００２０】
一方、判定処理Ｓ３０２の結果、現在視聴中の番組の残り放映時間が所定の値未満（本実施例では５分未満）であると判定された場合には、制御部１０１は改めて記憶部１０９に記憶された番組情報の中から現在視聴中の番組の一つ後に放映が予定されている番組の番組情報を参照（Ｓ３０４）する。次に参照処理Ｓ３０４で参照した番組情報の中から番組の放映時間長を抽出し（若しくは放映開始日時及び放映終了日時から放映時間長を算出し）、抽出（算出）した放映時間長が所定の時間長以上（本実施例では１０分以上）であるかの判定（Ｓ３０５）を行う。判定処理Ｓ３０５の結果、現在視聴中の番組の一つ後に放映が予定されている番組の放映時間長が所定の時間長以上（本実施例では１０分以上）であると判定された場合には、制御部１０１は記憶部１０９に記憶されている番組情報の中から現在視聴中の番組の一つ後に放映が予定されている番組の番組情報を選択（Ｓ３０６）して、表示処理部１０８に出力する。
【００２１】
また、判定処理Ｓ３０５の結果、現在視聴中の番組の一つ後に放映が予定されている番組の放映時間長が所定の時間長未満（本実施例では１０分未満）であると判定された場合には、制御部１０１は再度改めて記憶部１０９に記憶された番組情報の中から更に一つ後の番組、即ち現在視聴中の番組の二つ後に放映が予定されている番組の番組情報を参照（Ｓ３０４）して、放映時間長の判定（Ｓ３０５）を行う。
【００２２】
なお、判定処理Ｓ３０５の放映時間長の判定にて、判定条件を満足する番組が無い場合には参照処理Ｓ３０４と判定処理Ｓ３０５を繰り返すことになるが、ある程度（例えば５回程度、または参照する番組の放映開始時刻が現在時刻より２時間以上離れた場合、等）この処理を繰り返しても判定条件を満足する番組を得られない場合、無限ループを避けるために、適合条件なし、等で処理を中断することが望ましい。この場合には、現在視聴中の番組の残り放映時間によらず、現在視聴中の番組の番組情報を、表示処理部１０８に出力するようにすれば良い。
【００２３】
以上の処理により、制御部１０１は記憶部１０９に記憶されている番組情報から表示に最適な番組情報を選択して表示処理部１０８に出力することが可能となる。
【００２４】
図４及び図５は、図３のフローチャートに示した番組情報選択処理の動作により選択された番組情報を、表示処理部１０８にて処理した後に表示デバイス１１０に表示させた場合の表示例を説明する図である。図４は視聴中の番組の残り放映時間が所定の値以上（本実施例では５分以上）の状態で番組情報の表示を行った場合の表示例である。また、図５は視聴中の番組の残り放映時間が所定の値未満（本実施例では５分未満）の状態で番組情報の表示を行った場合の表示例である。図中、４０１及び５０１は現在視聴中のチャンネルの放映予定表及び現在時刻を示す概念図を示す。４０２及び５０２は表示デバイス１１０に出画された現在視聴中の番組の映像を示す。４０３及び５０３は番組情報の一部である放映開始時刻の表示、４０４及び５０４は番組情報の一部である放映終了時刻の表示を示す。４０５及び５０５は番組情報の一部である番組名の表示を示す。４０６及び５０６は番組情報の一部である放映チャンネルの表示を示す。
【００２５】
まず、図４において、放映開始時刻が２０：００、放映終了時刻が２０：５４である番組『ドラマＡ』を視聴中の２０：４５に番組情報の表示を行う場合は、判定処理Ｓ３０２において『残り放映時間（９分）≧５分』の判定条件が成り立つ。よって、選択処理Ｓ３０３にて制御部１０１は現在視聴中の番組『ドラマＡ』の番組情報を、記憶部１０９から選択して表示処理部１０８へ出力する。その結果、表示処理部１０８において、現在視聴中の番組『ドラマＡ』の映像４０２に、現在視聴中の番組『ドラマＡ』の番組情報である、放映開始時刻４０３、放映終了時刻４０４、番組名４０５、放映チャンネル４０６が重畳されて表示デバイス１１０に表示される。
【００２６】
一方、図５において、放映開始時刻が２０：００、放映終了時刻２０：５４である番組『ドラマＡ』を視聴中の２０：５０に番組情報の表示を行う場合、判定処理Ｓ３０２において『残り放映時間（４分）≧５分』の判定条件が成り立たない。よって、制御部１０１は参照処理Ｓ３０４にて現在視聴中の番組の一つ後の番組『天気予報』の番組情報を参照する。しかしながら、前記『天気予報』の放映時間長は６分であり、判定処理Ｓ３０５において『放映時間長（６分）≧１０分』の判定条件が成り立たない。よって、再度参照処理Ｓ３０４にて更に一つ後の番組『ドラマＢ』の番組情報を参照する。ここで、判定処理Ｓ３０５において『放映時間長（５４分）≧１０分』の判定条件が成り立つ。よって、選択処理Ｓ３０６にて制御部１０１は現在視聴中の番組の二つ後の番組『ドラマＢ』の番組情報を、記憶部１０９から選択して表示処理部１０８へ出力する。その結果、表示処理部１０８において、現在視聴中の番組『ドラマＡ』の映像５０２に現在視聴中の番組の二つ後に放映が予定されている番組『ドラマＢ』の番組情報（例えば、放映開始時刻５０３、放映終了時刻５０４、番組名５０５、放映チャンネル５０６）が重畳されて表示デバイス１１０に表示される。
【００２７】
以上説明したように、本実施例の装置では、現在視聴中の番組の残り放映時間及び現在視聴中の番組の終了後に放映予定の番組の放映時間長を参照してより好適な番組情報、即ち図４の例では『ドラマＡ』の番組情報を、図５の例では『ドラマＢ』の番組情報を表示することが可能となる。これにより、使用者にとってより有益な番組情報を選択して提供することが可能となる。
【００２８】
なお、図２のフローチャートの例では、使用者がリモコン操作または機器本体のスイッチ操作により番組情報の表示要求を行ったと判定された場合、または現在視聴中の番組の残り放映時間が所定の値未満（図２の例では５分未満）となったと判定された場合に、制御部１０１が番組情報の選択処理Ｓ２０４を開始することとしている。しかし、この他にも例えば、デジタル放送受信表示装置１００の電源オン時またはチャンネル／入力切り換え時に番組情報の選択処理Ｓ２０４を開始するようにしても良い。また、デジタル放送受信表示装置１００が録画／再生機能を有している場合であれば、録画処理／再生処理の終了時等に番組情報の選択処理Ｓ２０４を開始するようにしても良い。
【００２９】
更に、映像信号や音声信号、字幕情報等を監視し、番組映像が本編映像かＣＭ映像かを検出するＣＭ検出部をデジタル放送受信表示装置１００に別途設け、当該ＣＭ検出部が、視聴中の番組が本編映像からＣＭ映像に切り換わったことを検出した場合に番組情報の選択処理Ｓ２０４を開始するようにしても良い。
【００３０】
また、上述の例では、判定処理Ｓ２０３及び判定処理Ｓ３０２の、残り放映時間を所定の値と比較する判定処理において、所定の値を『５分』として説明を行ったが、これは一例であり、例えばこの値を『７分』、『１０分』等他の値としても本発明の効果を同様に得ることが可能である。必要に応じて適宜設定すればよい。また、判定処理Ｓ２０３における『所定の値』と判定処理Ｓ３０２における『所定の値』が異なる値であってもよい。
【００３１】
また、この所定の値を放映時間長に対する残り放映時間の比率として設定しても良い。例えば、この所定の値を『放映時間長の１０％』とすれば、番組の放映時間長が５４分の番組に対して判定処理を行う場合、判定処理Ｓ２０３の判定条件は『残り放映時間＜５．４分』となり、判定処理Ｓ３０２の判定条件は『残り放映時間≧５．４分』となる。また、図４の放映予定表及び現在時刻を示す概念図４０１の状況においては、判定処理Ｓ２０３では、『残り放映時間（９分）＜放映時間長５４分の１０％（５．４分）』の判定条件は不成立となる。この場合、判定条件Ｓ３０２では、『残り放映時間（９分）≧放映時間長５４分の１０％（５．４分）』の判定条件は成立となる。
【００３２】
また、図３の判定処理Ｓ３０５における放映時間長の判定条件『１０分』も一例であり、他の数値（時間）を適用しても良いことも前記記述と同様である。なお、判定処理Ｓ３０５における判定条件を『０分』に設定すれば、番組情報選択処理Ｓ３０６においては、常に現在視聴中の番組の一つ後に放映が予定されている番組の番組情報が選択されることとなる。
【００３３】
また、判定処理Ｓ３０５における判定条件を、図３の例で用いた『番組の放映時間長が所定の時間長以上』ではなく、例えば『番組の属するジャンルが所定のジャンル以外』としても良い。この場合、前記所定のジャンルとして、例えば、『ニュースまたは天気予報』を選択する。この場合、図５の放映予定表及び現在時刻を示す概念図５０１の状況においては、参照処理Ｓ３０４で参照した番組（放映開始時刻が２０：５４、放映終了時刻が２１：００の天気予報）は、『番組の属するジャンルが所定のジャンル（ニュースまたは天気予報）以外』の判定条件が成り立たない。よって、判定処理Ｓ３０５において、『Ｎｏ』側に分岐して参照処理Ｓ３０４を再実行することとなる。この結果、表示デバイス１１０に表示される番組情報は、上述の例と同様に、『ドラマＢ』の番組情報となる。以上のように、判定処理Ｓ３０５における判定条件を『番組の属するジャンルが所定のジャンル以外』とすれば、番組のジャンルに応じた番組情報の選択が可能となり、ユーザにより有益な番組情報を提供することが可能である。
【００３４】
なお、判定処理Ｓ３０５における判定条件を、前記説明の二つの条件の組み合わせ、例えば、『番組の放映時間長が所定の時間長以上』かつ『番組の属するジャンルが所定のジャンル以外』としても良い。『番組の放映時間長が所定の時間長以上』または『番組の属するジャンルが所定のジャンル以外』としても良い。また、このような判定条件とすることにより、番組情報の表示を行わないようにする番組の選択を、より詳細に設定することが可能となる。
【００３５】
また、図４及び図５の例では、視聴中の番組映像に重畳して表示される番組情報の例として、放映開始時刻、放映終了時刻、番組名、放映チャンネル、を記載している。しかし、必ずしもこれら全てを表示する必要は無い。また、そのほか、番組のジャンルや番組内容、主な出演者、番組関連情報にリンクするインターネットアドレス、等、他の情報を更に表示するようにしても良い。
【００３６】
上述の例では、図３のフローチャートに示した番組情報選択処理の動作において、現在視聴中のチャンネルに対してのみ番組情報の選択処理を行うものとして説明を行った。しかし、現在視聴中のチャンネルのみでなく、放映中の全チャンネルに対して番組情報の選択処理を行い、表示するようにすれば更に有効な番組情報の表示が可能となる。この場合の例に関して、図６を用いて説明する。図中、６０１はデジタル放送が有する各チャンネルの放映予定表及び現在時刻を示す概念図を示す。６０２は表示デバイス１１０に出画された現在視聴中のチャンネルの番組の映像を示す。６０３は番組情報の一部である放映開始時刻の表示を示す。６０４は番組情報の一部である放映終了時刻の表示を示す。６０５は番組情報の一部である番組名の表示を示す。６０６は番組情報の一部である放映チャンネルの表示を示す。
【００３７】
例えば、受信中のデジタル放送に、ＣＨ３３３、ＣＨ５５５、ＣＨ７７７、ＣＨ９９９の４つのチャンネルがあり、図６の概念図６０１に示すような番組の放映予定であるとする。ここで、ＣＨ９９９の放映開始２０：００、終了時刻が２０：５４である番組『ドラマＡ』を視聴中に、２０：５０に番組情報の表示を行う場合、制御部１０１はまず現在視聴中のチャンネル（ＣＨ９９９）に対して、図３のフローチャートに示した番組情報選択処理を行う。即ち、制御部１０１は記憶部１０９に記憶された番組情報の中から、まず現在視聴中のチャンネル（ＣＨ９９９）で現在放映中の番組の番組情報の参照処理Ｓ３０１を行う。その参照結果に基づき判定処理Ｓ３０２及び番組情報選択処理Ｓ３０３を、若しくは判定処理Ｓ３０２及び現在視聴中のチャンネルの現在放映中の番組の後に放映が予定されている番組の番組情報の参照処理Ｓ３０４、判定処理Ｓ３０５、番組情報選択処理Ｓ３０６を行い、選択した番組情報を現在視聴中のチャンネルの番組情報として表示部１０８に出力する。
【００３８】
次に制御部１０１は、現在視聴中のチャンネル（ＣＨ９９９）とは異なるチャンネルのうちの一つのチャンネル（例えばＣＨ３３３）に対して、図３のフローチャートに示した番組情報選択処理を行う。即ち、制御部１０１は記憶部１０９を参照して、現在視聴中のチャンネル（ＣＨ９９９）とは異なるチャンネルのうちから一つのチャンネル（例えばＣＨ３３３）を選択して、前記選択したチャンネルの現在放映中の番組（図６の『アニメＢ』）の番組情報の参照処理Ｓ３０１を行い、その参照結果に基づき判定処理Ｓ３０２及び番組情報選択処理Ｓ３０３を、若しくは判定処理Ｓ３０２及び前記選択したチャンネルの現在放映中の番組の後に放映が予定されている番組の番組情報の参照処理Ｓ３０４、判定処理Ｓ３０５、番組情報選択処理Ｓ３０６を行い、選択した番組情報を前記選択したチャンネルの番組情報として表示部１０８に出力する。
【００３９】
同様に、ＣＨ５５５及びＣＨ７７７に対しても、図３のフローチャートに示した番組情報選択処理を行うことにより、表示処理部１０８には、ＣＨ３３３の番組情報として『映画Ｂ』の番組情報が、ＣＨ５５５の番組情報として『映画Ａ』の番組情報が、ＣＨ７７７の番組情報として『ドラマＣ』の番組情報が、ＣＨ９９９の番組情報として『ドラマＢ』の番組情報が、それぞれ出力される。
【００４０】
表示処理部１０８では、図３のフローチャートに記載の番組情報選択処理により選択された各チャンネルの番組情報を、図６に示したように一括して現在視聴中の番組の映像６０２に重畳して表示しても良い。または、図４や図５に示したように初めは現在視聴中のチャンネル（ＣＨ９９９）の番組情報のみを現在視聴中の番組の映像に重畳しておき、その後、所定の時間経過後に、左右方向または上下方向のスクロール処理を行うことにより、他のチャンネルの番組情報を順次切り換え表示しても良い。また、リモコン操作または機器本体のスイッチ操作による表示切り換え処理（例えば、図４や図５に示したように現在視聴中のチャンネル（ＣＨ９９９）の番組情報のみが表示されている状態で、『カーソル上』キーが押された場合には表示をＣＨ３３３の番組情報表示に切り換え、『カーソル下』キーが押された場合には表示をＣＨ７７７の番組情報表示に切り換える、等）を行っても良い。
【００４１】
また、上述の例では、図３のフローチャートに記載の番組情報選択処理により選択された番組情報を、表示処理部１０８において現在視聴中の番組の映像へ重畳して、表示部１１０に一括表示するようにしているが、表示部としてメイン表示部とサブ表示部とを用意し、現在視聴中の番組の映像をメイン表示部に、前記選択された番組情報をサブ表示部に表示するようにしても良い。
【００４２】
以上説明した実施例1に係るデジタル放送受信表示装置によれば、ユーザにとってより有益な番組情報表示が可能となる。
【実施例２】
【００４３】
本発明の実施例２について説明する。
【００４４】
実施例１では、本発明の番組情報表示装置をデジタル放送受信表示装置に適用した場合について説明したが、例えば、デジタル放送受信機能を有した携帯情報端末等の場合においても、本発明の番組情報表示装置の特徴を備えることにより同様の効果を得ることが可能である。以下に、この例について説明する。
【００４５】
図７は本発明の実施例２に係る、デジタル放送受信機能を有した携帯情報端末（７００）の一例を示すブロック図である。携帯情報端末（７００）は、例えば、システム全体の制御を行う制御部７０１、プログラムを格納する書き換え可能なＲＯＭ（Ｒｅａｄ  Ｏｎｌｙ  Ｍｅｍｏｒｙ：７０２）及びワークエリアとなるＲＡＭ（Ｒａｎｄｏｍ  Ａｃｃｅｓｓ  Ｍｅｍｏｒｙ：７０３）を有する。ＲＯＭ７０２やＲＡＭ７０３は制御部７０１と一体構成でも良い。また、携帯情報端末（７００）は、例えば、システム各部とデータのやり取りを行うシステムバス７０４、携帯情報端末７００の設定や個人情報等を記憶するフラッシュメモリなどの記憶部７１０、コンテンツやアプリケーションプログラムを記録するストレージ部７１１、図示しないアンテナと分離部を内包したチューナ７２１、映像デコーダ７２２、音声デコーダ７２３、情報処理部７２４、加速度センサ７３１、ジャイロセンサ７３２、地磁気センサ７３３、ＧＰＳ（Ｇｌｏｂａｌ  Ｐｏｓｉｔｉｏｎｉｎｇ  Ｓｙｓｔｅｍ）受信部７３４、照度センサ７３５、移動体電話網との通信を制御する移動体電話網通信部７４１、インターネット等のネットワークと無線または有線での通信を制御するＬＡＮ通信部７４２、表示処理部７５１、表示デバイス７５２、音声処理部７６１、スピーカ７６２、音声入力部７７１、映像入力部７７２、タッチパネル若しくは複数キーによる入力を制御する操作部７８０、外部メモリ媒体とのデータ通信等を行う外部インタフェース部７９０を有する。
【００４６】
なお、上記構成はあくまでも一例であり、図示した全ての構成を備えていなくても良い。また、本実施例の携帯情報端末７００においては、ＲＯＭ７０２に格納されているプログラムは移動体電話網通信部７４１またはＬＡＮ通信部７４２を介してサーバより新規プログラムをダウンロードして更新することが可能であるものとする。
【００４７】
図７に示した携帯情報端末７００においては、図１に示したデジタル放送受信表示装置１００におけるアンテナ１０２や分離部１０４に相当する部位については図示を省略しているが、デジタル放送の受信及び番組情報の処理において図１のデジタル情報受信用テレビ１００と同等の処理が可能である。
【００４８】
また、携帯情報端末７００に本発明の番組情報表示装置を適用した場合、テレビと異なり、多様なアプリケーションを複数同時に動作させることが可能であり、このため、表示処理部７５１における現在視聴中の番組の映像と図３のフローチャートに記載の番組情報選択処理により選択された番組情報との重畳処理は、図４〜６に図示したような様式での重畳表示の他、図８に示すような様式での重畳表示が可能となる。
【００４９】
図８において、７００は本発明の番組情報表示装置を適用したデジタル放送受信機能付き携帯情報端末であり、７５２はその表示部、７８０は操作部で、図７のブロック図に記載した同一符号を有する各構成と同一の動作をする部位である。８０１は表示部７５２に表示されたアプリケーションウインドウの一つで、デジタル放送受信機能（図７の７２１、７２２、７２３、７２４）により受信された番組の映像を表示するウインドウ、８０２は表示部７５２に表示されたアプリケーションウインドウの一つで、図３のフローチャートに記載の番組情報選択処理により選択された番組情報を表示するウインドウである。
【００５０】
表示する番組情報の選択方法は、実施例１の図２、図３のフローチャートと同様であるため、説明を省略する。図２、図３のフローチャートの処理は、ＲＯＭ７０２に格納されているプログラムが、制御部７０１と表示処理部７５１と協働して行っても良い。もしくは、移動体電話網通信部７４１やＬＡＮ通信部７４２を介して外部のサーバから、アプリケーションプログラムをダウンロードして、ストレージ部７１１に記録しておき、ストレージ部７１１から再生してＲＡＭ７０３に展開した当該プログラムが、図２、図３のフローチャートの処理を制御部７０１と表示処理部７５１と協働して行っても良い
また、実施例２においても、実施例１と同様、図３のフローチャートに記載の番組情報選択処理により選択された番組情報を、表示処理部７５１において現在視聴中の番組の映像へ重畳して、表示部７５２に一括表示するようにしているが、表示部としてメイン表示部とサブ表示部とを用意し、現在視聴中の番組の映像をメイン表示部に、前記選択された番組情報をサブ表示部に表示するようにしても良い。
【００５１】
以上説明した実施例２に係る携帯情報端末においても、ユーザにとってより有益な番組情報表示が可能となる。また、ダウンロードしたアプリケーションプログラムによって、これらの表示を行うことが可能となる。
【実施例３】
【００５２】
次に、図９を用いて、本発明の実施例３として、本発明の番組情報送出装置をデジタル放送受信用チューナ（９００）に適用した場合の例を説明する。なお、図中、図１と同一の符号を有するものは、実施例１と同一の構成／動作をするものであるため、説明を省略する。９１２は表示処理部１０８から出力された映像信号と音声デコーダ１０６から出力された音声信号を、必要に応じて、例えば、ＨＤＭＩ規格信号への変換処理等を行って出力する映像／音声出力処理部、９１３は図３のフローチャートに示した番組情報選択処理により選択された番組情報を有線／無線通信接続によりインターネット等の公衆回線網や宅内回線網を介して外部機器に送出するための処理を行う送信処理部である。
【００５３】
本実施例のデジタル放送受信用チューナ９００の映像／音声出力処理部９１２から出力された映像／音声信号を、ケーブルを介して映像表示用モニタに送出することにより、映像表示用モニタに映像を表示及び映像表示用モニタのスピーカから音声を出力して、使用者が番組の視聴を行う。
【００５４】
この状態で、制御部１０１は、実施例１と同様に、図２のフローチャートに示した番組情報選択処理の開始制御、図３のフローチャートに示した番組情報選択処理の動作を行い、選択された番組情報を送信処理部９１３に出力する。送信処理部９１３では、選択された番組情報を少なくとも含むデータ群に対して、必要に応じてデータ変換、パケット化等の処理を行い、有線／無線通信接続によりインターネット等の公衆回線網や宅内回線網への出力を行う。
【００５５】
以上説明したように、本実施例の装置では、現在視聴中（映像／音声出力処理部９１２から出力中）の番組の残り放映時間及び現在視聴中の番組の終了後に放映予定の番組の放映時間長や番組ジャンルを参照して、最適な番組情報を選択して送出することが可能となる。なお、有線／無線通信接続によりインターネット等の公衆回線網や宅内回線網に送出された番組情報を少なくとも含むデータは、有線／無線通信接続によりインターネット等の公衆回線網や宅内回線網にアクセス可能な携帯情報端末等で受信することにより、表示することが可能である。したがって、使用者にとってより有益な番組情報を確認することが可能となる。
【００５６】
また、実施例３の番組情報送出装置では、番組情報を携帯情報端末等に送出して表示させるため、映像表示用モニタで視聴中の番組の映像表示に番組情報を重畳する必要がない。よって、視聴者は、視聴中の番組の映像表示を比較的損ねることが無く、視聴者の手元の携帯情報端末等の表示部で番組情報を確認でき、視聴者にとって有益である。
【００５７】
また、デジタル放送では放送されている番組と連動してデータ放送が提供されている場合があり、このデータ放送により、天気予報、交通情報、お勧め番組の案内、等の情報が確認可能となる。しかしながら、このデータ放送を画面に表示した場合、通常番組の映像は縮小表示されるか、若しくは表示されないのが一般的であり、少なからず番組の視聴が妨げられることが考えられる。
【００５８】
このような状況を考慮して、実施例３の番組情報送出装置では、使用者が視聴中の番組に連動するデータ放送画面の表示を要求した際に、データ放送の画像を映像／音声出力処理部９１２から送出するのではなく、送信処理部９１３が有線／無線通信接続によりインターネット等の公衆回線網や宅内回線網へ出力するように制御する機能を持たせても良い。当該機能を持たせることにより、送信処理部９１３から送出されたデータ放送の画像を携帯情報端末等で受信して表示させれば、データ放送で提供される情報を確認しながら、映像表示用モニタでの通常番組の視聴が妨げられることを防止することが可能となる。
【００５９】
上述のように、送信処理部９１３に、視聴中の番組に連動するデータ放送の画像を有線／無線通信接続によりインターネット等の公衆回線網や宅内回線網へ出力する機能を持たせた場合、図３のフローチャートに示した番組情報選択処理の動作により番組情報が選択された際には、予め定めた所定の期間のみデータ放送の画像の代わりに選択された番組情報を出力するようにしても良い。または、送信処理部９１３にてデータ放送の画像に選択された番組情報を重畳して出力するようにしても良い。
【００６０】
また、データ放送の画像と選択された番組情報とを、時分割で有線／無線通信接続によりインターネット等の公衆回線網や宅内回線網へ出力するようにしても良い。この場合、携帯情報端末等の側において、データ放送の画像を表示するアプリケーションウインドウと選択された番組情報を表示するアプリケーションウインドウとを同時に表示させることも可能であり、視聴中の番組映像を表示する映像／音声出力処理部と接続された映像表示用モニタとは異なる手元の表示デバイスでデータ放送の画像と番組情報とを確認することが可能となる。
【００６１】
以上は、本発明の番組情報送出装置をデジタル放送受信用チューナに適用した場合に関して記載したものであるが、例えば、ＨＤＤ（Ｈａｒｄ  Ｄｉｓｃ  Ｄｒｉｖｅ）レコーダや、ＤＶＤ（Ｄｉｇｉｔａｌ  Ｖｅｒｓａｔｉｌｅ  Ｄｉｓｃ）レコーダ、ＢＤ（Ｂｌｕ−Ｒａｙ  Ｄｉｓｃ  Ｄｒｉｖｅ）レコーダであってもよい。これらの場合でも、上述した効果を得ることができる。
【実施例４】
【００６２】
また、図１０に、本発明の実施例４として、実施例１で記載したデジタル放送受信表示装置１００に上述の送信処理部９１３を追加した構成であるデジタル放送受信表示装置１０００を示す。デジタル放送受信表示装置１０００においても、実施例３と同様の効果を得ることが可能である。
【００６３】
更にデジタル放送受信表示装置１０００では、番組情報の表示先を（１）表示デバイス１１０と、（２）送信処理部９１３とインターネット等の公衆回線網や宅内回線網を介して接続される携帯情報端末等とで選択することができる。したがって、使用者の好みに応じて、番組情報を大きな画面（表示デバイス１１０）で確認したり、番組視聴を妨げずに表示可能な画面（携帯情報端末等）で確認したりすることができる。特に番組情報の表示先として、上記携帯情報端末等を選択した場合には、実施例１で記載した、表示部としてメイン表示部とサブ表示部とを用意した場合と同様の表示結果を得ることができる。
【実施例５】
【００６４】
図１１は、実施例５に係るシステムの説明図であり、本発明の番組情報送出装置及び通信回線網と、本発明の番組情報送出装置と通信可能な番組情報表示端末と、を含むシステムの一例を示す概念図である。図中、９００は実施例３にて記載した本発明の番組情報送出装置の特徴を適用した図９のデジタル放送受信用チューナである。１０００は実施例４にて記載した本発明の番組情報送出装置の特徴を適用した図１０のデジタル放送受信表示装置である。１１００は本発明の番組情報送出装置と通信可能な番組情報表示端末で、図７に示した携帯情報端末７００の構成を有する（但し、デジタル放送受信用の構成７２１、７２２、７２３、７２４はなくとも良い。）。７５２は番組情報表示端末１１００の表示部、７８０は番組情報表示端末１１００の操作部である。１１０１は表示部７５２に表示されたアプリケーションウインドウの一つで、図３のフローチャートに記載の番組情報選択処理により選択され番組情報送出装置の送出処理部９１３から送出された番組情報を表示するウインドウである。１１０２は表示部７５２に表示されたアプリケーションウインドウの一つで、送出処理部９１３から送出されたデータ放送の画像を表示するウインドウである。１１０３は表示部７５２に表示されたアプリケーションウインドウの一つで、番組情報表示端末１１００で実行されている他のプログラムの実行結果を表示するウインドウである。１１１０はインターネット等の公衆回線網や宅内回線網等のネットワークである。
【００６５】
本実施例のシステムにおいては、番組情報表示端末１１００が、番組情報送出装置であるデジタル放送受信用チューナ９００またはデジタル放送受信表示装置１０００とネットワーク１１１０を介して接続される。これにより、番組情報表示端末１１００は、番組情報送出装置であるデジタル放送受信用チューナ９００やデジタル放送受信表示装置１０００が送出するデータ放送の画像や、図３のフローチャートに記載の番組情報選択処理により選択されて送出処理部９１３から送出された番組情報などを受信することができるようになる。その結果、番組情報表示端末１１００の表示部７５２にてデータ放送の画像や番組情報を表示することが可能となる。
【００６６】
番組情報表示端末１１００においては、デジタル放送受信用チューナ９００またはデジタル放送受信表示装置１０００の送出処理部９１３から送出された番組情報を受信した際に、自動的に表示部７５２に番組情報を表示するアプリケーションウインドウ１１０１を表示するようにしても良い。また、番組情報を受信した際には番組情報表示端末１１００の内蔵メモリ上への格納のみを行い、使用者が番組情報表示端末１１００の操作部７８０を操作して番組情報の表示を要求した場合にのみ、表示部７５２に番組情報を表示するアプリケーションウインドウ１１０１を表示するようにしても良い。
【００６７】
なお、上述のように、デジタル放送受信用チューナ９００やデジタル放送受信表示装置１０００の送出処理部９１３から送出された番組情報を受信した際に自動的に表示部７５２に番組情報を表示するアプリケーションウインドウ１１０１を表示するように動作させる場合には、番組情報を表示するアプリケーションウインドウ１１０１をデータ放送の画像を表示するウインドウ１１０２や他のプログラムの実行結果を表示するウインドウ１１０３よりも前面に表示するように制御することが望ましい。当該制御により、他のアプリケーションウインドウに隠れているため番組情報を表示するアプリケーションウインドウ１１０１が表示されたことに気づかない、等の使い勝手の悪さを防止することができる。
【００６８】
また、上述のように、デジタル放送受信用チューナ９００またはデジタル放送受信表示装置１０００の送出処理部９１３から送出された番組情報を受信した際には番組情報表示端末１１００の内蔵メモリ上への格納のみを行って使用者が番組情報表示端末１１００の操作部７８０を操作して番組情報の表示を要求した場合にのみ表示部７５２に番組情報を表示するアプリケーションウインドウ１１０１を表示するように動作させる場合には、デジタル放送受信用チューナ９００またはデジタル放送受信表示装置１０００の送出処理部９１３から送出された番組情報を番組情報表示端末１１００の内蔵メモリ上への格納処理が行われたことを示すアラームを表示部７５２の何処かへ表示するように制御することが望ましい。前記制御により、番組情報表示端末１１００が番組情報を受信したことに気づかない、等の使い勝手の悪さを防止することができる。
【００６９】
また、実施例５のシステムにおいては、番組情報表示端末１１００の側から番組情報表示の要求をデジタル放送受信用チューナ９００やデジタル放送受信表示装置１０００に送信しても良い。当該要求を送信する手法としては、その都度番組情報表示端末１１００の操作部７８０を操作して番組情報表示の要求を行っても良いし、プログラムにより予め定めた時間に番組情報表示の要求を送信するように予約を行っても良い。
【００７０】
このように番組情報表示端末１１００の側から番組情報表示の要求を行うことが可能なシステムとする場合には、番組情報送出装置であるデジタル放送受信用チューナ９００やデジタル放送受信表示装置１０００に、更に、有線／無線通信接続によりインターネット等の公衆回線網や宅内回線網を介して外部機器からのデータを受信するための処理を行う受信処理部を備えてもよい。または、送信処理部９１３を外部機器からのデータの受信処理も可能な送受信処理部としてもよい。そのうえで、予め番組情報送出装置の側で実施する図２のフローチャートに記載の番組情報選択処理の開始制御における、番組情報の選択処理Ｓ２０４を開始する条件として、『番組情報表示端末から番組情報の表示要求を受け付けたか』という条件を追加しておけば良い。図２のフローチャートに記載の番組情報選択処理の開始制御に前記条件を追加することにより、実施例５のシステムにおいて、番組情報表示端末１１００の側からの要求による番組情報の選択と表示を実現することが可能となる。
【００７１】
また、番組情報送出装置であるデジタル放送受信用チューナ９００やデジタル放送受信表示装置１０００に番組情報表示の要求を送信する際にキーワードを付加することにより、番組情報表示端末１１００で表示する番組情報の内容を、放映開始時刻、放映終了時刻、番組名、放映チャンネル、番組ジャンル、番組内容、主な出演者、番組関連情報にリンクするインターネットアドレス、等の中から選択することも可能である。
【００７２】
なお、図１１の概念図に示したように同一のネットワーク１１１０上に番組情報送出装置が複数（図１１の例ではデジタル放送受信用チューナ９００とデジタル放送受信表示装置１０００の２台）存在する場合には、予め番組情報表示端末１１００と、ネットワーク１１１０上に存在する番組情報送出装置のうちのいずれか一つとの間で機器認証処理を行って装置の選択（指定）をしておくことが望ましい。この処理により、機器間のデータコンフリクトを防ぐことが可能となる。
【実施例６】
【００７３】
更に実施例６として、図１１において、使用者が番組情報表示端末１１００の操作部７８０を操作して番組情報の表示を要求した場合に、番組情報表示端末１１００がネットワーク１１１０を介して番組情報送出装置であるデジタル放送受信用チューナ９００またはデジタル放送受信表示装置１０００の情報処理部１０７から番組情報を取得して番組情報表示端末１１００の内蔵メモリに記憶し、番組情報表示装置１１００の制御部が図３のフローチャートに記載の番組情報選択処理を行って前記番組情報表示端末１１００の内蔵メモリから番組情報を選択して表示部７５２に表示するようにしても良い。
【００７４】
前記実施例５で記載したような、デジタル放送受信用チューナ９００またはデジタル放送受信表示装置１０００の送出処理部９１３から送出された番組情報を受信した際には、番組情報表示端末１１００の内蔵メモリ上への格納のみを行って使用者が番組情報表示端末１１００の操作部７８０を操作して番組情報の表示を要求した後に表示部７５２に番組情報を表示するアプリケーションウインドウ１１０１を表示するように動作させる場合、番組情報受信後の時間経過に伴い使用者が番組情報表示端末１１００の操作部７８０を操作して番組情報の表示を要求したときには既に番組情報の有効性が失われている（情報が古くなっている）可能性もある。しかしながら、本実施例のように、番組情報送出装置から図３のフローチャートに記載の番組情報選択処理を行う前の番組情報を取得しておき、番組情報表示端末１１００の側で図３のフローチャートに記載の番組情報選択処理を行うようにすれば、使用者が番組情報表示端末１１００の操作部７８０を操作して番組情報の表示を要求したときに常に最新の番組情報を選択取得して表示することが可能となる。
【符号の説明】
【００７５】
１００：デジタル放送受信表示装置、１０１：制御部、１０２：アンテナ、１０３：チューナ、１０４：分離部、１０５：映像デコーダ、１０６：音声デコーダ、１０７：情報処理部、１０８：表示処理部、１０９：記憶部、１１０：表示デバイス、１１１：スピーカ、Ｓ２０１：番組情報表示要求の確認判定工程、Ｓ２０２：現在視聴中番組の番組情報参照工程、Ｓ２０３：現在視聴中番組の残り放映時間判定工程、Ｓ２０４：番組情報選択処理の開始工程、Ｓ３０１：現在放映中番組の番組情報参照工程、Ｓ３０２：現在放映中番組の残り放映時間判定工程、Ｓ３０３：現在放映中番組の番組情報選択工程、Ｓ３０４：一つ後に放映が予定されている番組の番組情報参照工程、Ｓ３０５：一つ後に放映が予定されている番組の放映時間長判定工程、Ｓ３０６：一つ後に放映が予定されている番組の番組情報選択工程、４０１、５０１、６０１：放映予定表及び現在時刻を示す概念図、４０２、５０２、６０２：現在視聴中の番組の映像、４０３、５０３、６０３：番組情報の一部である放映開始時刻表示、４０４、５０４、６０４：番組情報の一部である放映終了時刻表示、４０５、５０５、６０５：番組情報の一部である番組名表示、４０６、５０６、６０６：番組情報の一部である放映チャンネル表示、７００：デジタル放送受信機能を有した携帯情報端末、７０１：制御部、７０２：ＲＯＭ、７０３：ＲＡＭ、７０４：システムバス、７１０：記憶部、７１１：ストレージ部、７２１：チューナ、７２２：映像デコーダ、７２３：音声デコーダ、７２４：情報処理部、７３１：加速度センサ、７３２：ジャイロセンサ、７３３：地磁気センサ、７３４：ＧＰＳ受信部、７３５：照度センサ、７４１：移動体電話網通信部、７４２：ＬＡＮ通信部、７５１：表示処理部、７５２：表示デバイス、７６１：音声処理部、７６２：スピーカ、７７１：音声入力部、７７２：映像入力部、７８０操作部、７９０外部インタフェース部、８０１：アプリケーションウインドウ（番組映像表示）、８０２：アプリケーションウインドウ（番組情報表示）、９００：デジタル放送受信用チューナ、９１２：映像／音声出力処理部、９１３：送信処理部、１０００：番組情報を送出可能なデジタル放送受信表示装置、１１００：番組情報表示端末、１１０１：アプリケーションウインドウ（番組情報表示）、１１０２：アプリケーションウインドウ（データ放送）、１１０３：アプリケーションウインドウ（その他のプログラム）、１１１０：ネットワーク
【図１】
2013106282.tif 000003
【図２】
2013106282.tif 000004
【図３】
2013106282.tif 000005
【図４】
2013106282.tif 000006
【図５】
2013106282.tif 000007
【図６】
2013106282.tif 000008
【図７】
2013106282.tif 000009
【図８】
2013106282.tif 000010
【図９】
2013106282.tif 000011
【図１０】
2013106282.tif 000012
【図１１】
2013106282.tif 000013